【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
所定の条件に従って、製造の対象となる複数の製品のうち少なくとも１の製品を含むグループを作成するグループ作成部と、
前記複数の製品を製造するスケジュールを前記グループ単位で作成するスケジュール作成部と、
前記スケジュールのうち、指定された作業者に割り当てられた対象のグループの作業を示す個別スケジュールの一覧と、前記対象のグループに含まれる個々の製品を製造する作業に関する情報とを併せて表示部に表示させる表示制御部と
を備える管理装置。
【請求項２】
所定の条件に従って、製造の対象となる複数の製品のうち少なくとも１の製品を含むグループを作成するグループ作成部と、
前記複数の製品を製造するスケジュールを前記グループ単位で作成するスケジュール作成部と、
前記グループ単位の前記スケジュールと、前記グループに含まれる個々の製品を製造する作業に関する情報とを併せて表示部に表示させる表示制御部とを備え、
前記所定の条件は、納入先及び納期が同一であり、且つ、作業者が過去に行った作業により製造された製品と同一の図面を用いて製造されることを含み、
前記グループは、前記所定の条件を満たす少なくとも１の製品を含み、
前記スケジュール作成部は、前記グループを製造する作業を前記作業者に割り当てる
管理装置。
【請求項３】
所定の条件に従って、製造の対象となる複数の製品のうち少なくとも１の製品を含むグループを作成するグループ作成部と、
前記複数の製品を製造するスケジュールを前記グループ単位で作成するスケジュール作成部と、
前記グループ単位の前記スケジュールと、前記グループに含まれる個々の製品を製造する作業に関する情報とを併せて表示部に表示させる表示制御部とを備え、
前記複数の製品は、複数の製造工程により製造され、
前記表示制御部は、前記複数の製造工程のうち前記グループに含まれる前記少なくとも１の製品を製造する対象の製造工程の前記スケジュールに遅延がある場合には、前記対象の製造工程より前の製造工程の前記スケジュール上に警告を表示させる
管理装置。
【請求項４】
前記所定の条件は、納入先及び納期が同一であることを含み、
前記グループは、前記所定の条件を満たす少なくとも１の製品を含む
請求項１又は３に記載の管理装置。
【請求項５】
前記表示制御部は、前記グループ単位の前記スケジュールを作業者別に表すガントチャートを前記表示部に表示させる
請求項１から４のいずれか１項に記載の管理装置。
【請求項６】
前記表示制御部は、前記個別スケジュールの一覧と、前記対象のグループに含まれる製品の作業経過を示す経過情報とを併せて前記表示部に表示させる
請求項１に記載の管理装置。
【請求項７】
前記複数の製品は、複数の製造工程により製造され、
前記個別スケジュールの一覧は、前記複数の製造工程のうち前記指定された作業者が行う対象の製造工程の一つ前の製造工程の作業状況を示す状況情報を含む
請求項１に記載の管理装置。
【請求項８】
前記個別スケジュールの一覧は、前記指定された作業者が行う対象の製造工程の作業状況を示す状況情報を含む
請求項１又は７に記載の管理装置。
【請求項９】
前記グループ作成部は、さらに前記所定の条件とは異なる他の条件に従って、前記複数の製品のうち少なくとも１の製品を含むサブグループを作成し、
前記スケジュール作成部は、さらに前記スケジュールを前記サブグループ単位で作成し、
前記表示制御部は、さらに前記サブグループ単位の前記スケジュールを前記表示部に表示させる
請求項１から８のいずれか１項に記載の管理装置。
【請求項１０】
前記他の条件は、前記少なくとも１の製品の色又は材料が同一であることを含む
請求項９に記載の管理装置。
【請求項１１】
管理装置と端末装置とを備え、
前記管理装置は、
所定の条件に従って、製造の対象となる複数の製品のうち少なくとも１の製品を含むグループを作成するグループ作成部と、
前記複数の製品を製造するスケジュールを前記グループ単位で作成するスケジュール作成部と、
前記スケジュールのうち、指定された作業者に割り当てられた対象のグループの作業を示す個別スケジュールの一覧と、前記対象のグループに含まれる個々の製品を製造する作業に関する情報とを併せて表示部に表示させる表示制御部とを有し、
前記端末装置は、前記表示部を有する
管理システム。
【請求項１２】
管理装置と端末装置とを備え、
前記管理装置は、
所定の条件に従って、製造の対象となる複数の製品のうち少なくとも１の製品を含むグループを作成するグループ作成部と、
前記複数の製品を製造するスケジュールを前記グループ単位で作成するスケジュール作成部と、
前記グループ単位の前記スケジュールと、前記グループに含まれる個々の製品を製造する作業に関する情報とを併せて表示部に表示させる表示制御部とを有し、
前記端末装置は、前記表示部を有し、
前記所定の条件は、納入先及び納期が同一であり、且つ、作業者が過去に行った作業により製造された製品と同一の図面を用いて製造されることを含み、
前記グループは、前記所定の条件を満たす少なくとも１の製品を含み、
前記スケジュール作成部は、前記グループを製造する作業を前記作業者に割り当てる
管理システム。
【請求項１３】
管理装置と端末装置とを備え、
前記管理装置は、
所定の条件に従って、製造の対象となる複数の製品のうち少なくとも１の製品を含むグループを作成するグループ作成部と、
前記複数の製品を製造するスケジュールを前記グループ単位で作成するスケジュール作成部と、
前記グループ単位の前記スケジュールと、前記グループに含まれる個々の製品を製造する作業に関する情報とを併せて表示部に表示させる表示制御部とを有し、
前記端末装置は、前記表示部を有し、
前記複数の製品は、複数の製造工程により製造され、
前記表示制御部は、前記複数の製造工程のうち前記グループに含まれる前記少なくとも１の製品を製造する対象の製造工程の前記スケジュールに遅延がある場合には、前記対象の製造工程より前の製造工程の前記スケジュール上に警告を表示させる
管理システム。
【請求項１４】
コンピュータに、
所定の条件に従って、製造の対象となる複数の製品のうち少なくとも１の製品を含むグループを作成するステップと、
前記複数の製品を製造するスケジュールを前記グループ単位で作成するステップと、
前記スケジュールのうち、指定された作業者に割り当てられた対象のグループの作業を示す個別スケジュールの一覧と、前記対象のグループに含まれる個々の製品を製造する作業に関する情報とを併せて表示部に表示させるステップと
を実行させるためのプログラム。
【請求項１５】
コンピュータに、
所定の条件に従って、製造の対象となる複数の製品のうち少なくとも１の製品を含むグループを作成するステップと、
前記複数の製品を製造するスケジュールを前記グループ単位で作成するステップと、
前記グループ単位の前記スケジュールと、前記グループに含まれる個々の製品を製造する作業に関する情報とを併せて表示部に表示させるステップと
を実行させるためのプログラムであって、
前記所定の条件は、納入先及び納期が同一であり、且つ、作業者が過去に行った作業により製造された製品と同一の図面を用いて製造されることを含み、
前記グループは、前記所定の条件を満たす少なくとも１の製品を含み、
前記作成するステップでは、前記グループを製造する作業が前記作業者に割り当てられる
プログラム。
【請求項１６】
コンピュータに、
所定の条件に従って、製造の対象となる複数の製品のうち少なくとも１の製品を含むグループを作成するステップと、
前記複数の製品を製造するスケジュールを前記グループ単位で作成するステップと、
前記グループ単位の前記スケジュールと、前記グループに含まれる個々の製品を製造する作業に関する情報とを併せて表示部に表示させるステップと
を実行させるためのプログラムであって、
前記複数の製品は、複数の製造工程により製造され、
前記表示させるステップでは、前記複数の製造工程のうち前記グループに含まれる前記少なくとも１の製品を製造する対象の製造工程の前記スケジュールに遅延がある場合には、前記対象の製造工程より前の製造工程の前記スケジュール上に警告が表示される
プログラム。